(57)【要約】  貨物コンテナへの入口を監視する方法であって、（ａ）貨物コンテナに積込まれる貨物の各品目についての進入記録を作成するステップと、（ｂ）貨物の品目の積込み中に貨物コンテナに入る各々のＲＦＩＤタグについてのＩＤ記録を作成するステップと、（ｃ）映像記録とＩＤ記録とを相互に関連付けて、認可されたＲＦＩＤタグが取付けられずに貨物の品目が積込まれた場合に警報を発するステップとを含む。
2009528233.tif 000002
【特許請求の範囲】
【請求項１】
貨物コンテナへの入口を監視する方法であって、
（ａ）貨物コンテナの入口における空間を監視して、物または人の進入を検出し、進入の検出時に信号を伝送するステップと、
（ｂ）ステップ（ａ）において物または人の進入が検出された場合、認可装置の進入を検出するために空間を監視し、認可装置の有無を示す信号を伝送するステップと、
（ｃ）前記伝送された信号をデータプロセッサにおいて受信するステップと、
（ｄ）前記データプロセッサにおいて前記伝送された信号におけるデータを処理して、前記空間に入る認可装置と物または人との間の相関関係の欠如を識別するステップとを含む、方法。
【請求項２】
前記データプロセッサは、相関関係の欠如を識別したことに応答して警報信号を伝送する、請求項１に記載の方法。
【請求項３】
前記警報信号は、衛星またはＧＳＭ通信インフラを介してオペレーションセンタにおいて受信される、請求項２に記載の方法。
【請求項４】
前記伝送された信号はＲＦ信号である、請求項１に記載の方法。
【請求項５】
ステップ（ａ）は、人工知能と、前記貨物コンテナへの前記入口に向けられた視野とを有するビデオカメラによって実行される、請求項１に記載の方法。
【請求項６】
ステップ（ｃ）は、前記貨物コンテナへの前記入口またはその付近に配置されたＲＦＩＤリーダによって実行される、請求項１に記載の方法。
【請求項７】
前記認可装置はＲＦＩＤタグである、請求項１に記載の方法。
【請求項８】
貨物コンテナへの入口を監視する方法であって、
（ａ）ある期間中に貨物コンテナの入口における空間を通過する貨物の各品目についての進入記録を作成するステップと、
（ｂ）前記期間中に前記空間に入る各々の認可装置についてのＩＤ記録を作成するステップと、
（ｃ）進入記録とＩＤ記録とを相互に関連付けて、貨物の品目が認可装置なしで前記空間を通過した場合に警報を発するステップとを含む、方法。
【請求項９】
ステップ（ａ）および（ｂ）中にそれぞれ作成された進入記録およびＩＤ記録を含むＲＦ信号を、ステップ（ｃ）を実行する装置に伝送するステップをさらに含む、請求項８に記載の方法。
【請求項１０】
前記進入記録は、前記貨物コンテナの入口に向けられた視野を有するビデオカメラによって取得された映像記録に人工知能を適用することによって作成される、請求項８に記載の方法。
【請求項１１】
衛星またはＧＳＭ通信インフラを介してオペレーションセンタに警報信号を送信するステップをさらに含む、請求項８に記載の方法。
【請求項１２】
認可装置はＲＦＩＤタグである、請求項８に記載の方法。
【請求項１３】
積込み中に貨物コンテナへの入口を監視する方法であって、
（ａ）カメラを、その視野が前記入口に向けられるように配置するステップと、
（ｂ）前記入口またはその付近に１つ以上のアンテナを配置するステップと、
（ｃ）前記カメラを用いて、前記貨物コンテナに出入りする貨物移動の画像を表わす映像データを取得するステップと、
（ｄ）前記映像データを処理して、前記貨物コンテナに出入りする貨物移動を示す貨物移動データにするステップと、
（ｅ）前記アンテナを用いて、前記貨物に入るかまたは前記貨物から出る連続した貨物ＲＦＩＤタグから貨物ＩＤデータを取得するステップと、
（ｆ）前記貨物ＩＤデータを前記貨物進入データと相互に関連付けるステップと、
（ｇ）有効な貨物ＩＤデータのない貨物が貨物コンテナに入るかまたはそこから出た場合に警報信号を伝送するステップとを含む、方法。
【請求項１４】
ステップ（ｅ）は、ＲＦ走査信号を前記アンテナから前記入口にわたって伝送して、前記入口を通過する受動的なＲＦＩＤタグに、前記貨物ＩＤデータを含むそれぞれのＲＦＩＤ信号を伝送させるステップを含む、請求項１３に記載の方法。
【請求項１５】
ステップ（ｃ）および（ｅ）中にそれぞれ取得された貨物進入データおよび貨物ＩＤデータを含むＲＦ信号を、ステップ（ｆ）を実行する装置に伝送するステップをさらに含む、請求項１３に記載の方法。
【請求項１６】
ステップ（ｄ）は、人工知能でプログラミングされ前記ビデオカメラとインターフェイスを取るプロセッサによって実行される、請求項１３に記載の方法。
【請求項１７】
前記警報信号は、衛星またはＧＳＭ通信インフラを介してオペレーションセンタに伝送される、請求項１３に記載の方法。
【請求項１８】
インテリジェントスイッチであって、
無線信号を受信することのできる手段と、
前記手段に接続されたプロセッサとを含み、前記プロセッサは、貨物の品目が貨物コンテナに入るかまたはそこから出た時間を示す第１のデータを含む第１の無線信号と、認可装置が貨物コンテナに入るかまたはそこから出た時間を示す第２のデータを含む第２の無線信号とを相互に関連付け、次いで、貨物品目が、認可装置なしで貨物コンテナに入るかまたはそこから出た場合に警報信号を発行するようプログラミングされ、前記インテリジェントスイッチはさらに、
前記無線信号受信手段に接続されたプロセッサを含み、前記プロセッサは、貨物の品目が貨物コンテナに積込まれた時間を示す第１のデータを含む無線信号と、認可されたＲＦＩＤタグが貨物コンテナに入った時間を示す第２のデータを含む無線信号とを無線信号受信手段が受信した後、前記第１のデータを前記第２のデータと相互に関連付け、次いで、認可されたＲＦＩＤタグが貨物コンテナに入ることなく貨物品目が貨物コンテナに積込まれた場合に警報信号を発行するようプログラミングされる、インテリジェントスイッチ。
【請求項１９】
前記プロセッサから衛星への前記警報信号の無線伝送を可能にするモデムをさらに含む、請求項１８に記載のインテリジェントスイッチ。
【請求項２０】
前記プロセッサからセルラータワーへの前記警報信号の無線伝送を可能にするモデムをさらに含む、請求項１８に記載のインテリジェントスイッチ。
【請求項２１】
前記プロセッサに接続されたメモリをさらに含み、前記プロセッサはさらに、前記メモリに警報記録を格納し、次いで、外部ソースからの問合せに応答して、前記格納された警報記録を検索し、前記警報記録を搬送する信号を伝送するようプログラミングされる、請
求項１８に記載のインテリジェントスイッチ。
【発明の詳細な説明】
【技術分野】
【０００１】
発明の背景
この発明は、輸送または貨物コンテナのセキュリティの分野に関する。
【背景技術】
【０００２】
世界中の外洋航行の貨物輸送インフラはテロ行為に対して無防備である。コンテナに詰められた貨物の移動がオープンであるため、テロリストに、たとえば「汚い爆弾（dirty bomb）」のための熱核反応装置または放射性物質を輸送コンテナに入れて対象国に密輸入することにより大規模な経済的損害を引起こす機会を与えてしまう。結果として、全世界的なサプライチェーンおよび重要な港施設の安全の確保を支援するために、コンテナレベルでの追跡および監視技術を開発し展開させる必要がある。
【０００３】
最終的に、地方の港施設は、国際的に拡張する可能性のある地域全体のセンタおよび／または全国規模のセンタにリンクされなければならない。結果として、複数の公共団体や民間団体の参加を可能にするために、サプライチェーンを管理／保護し、好ましくは開放型システムのアーキテクチャを採用する際に、地理情報システム（ＧＩＳ）、全世界的衛星通信、インターネット、および無線監視／追跡／セキュリティインフラなどの技術を採用することが必要となる。
【０００４】
米国税関・国境警備局（Customs and Border Protection：ＣＢＰ）、米国国土安全保障省は、テロリストや彼らの武器が米国内に入ってくるのを防ぐ任務を帯びている。米国には年間ほぼ７００万個のコンテナが到着しており、ＣＢＰはすべてのコンテナを検査することはできない。大部分のコンテナは価値が低く、監視能力は極めて限られている。加工・流通過程の管理は工場および港におけるセキュリティから始まる。その後、コンテナを継続的に監視して、加工・流通過程の管理が確実に損なわれないようにしなければならない。
【０００５】
本土防衛の構想は、防衛の最前線をアメリカ国土から外国へと移すことである。長期的な目標は、サプライチェーンの脆弱性を低減させるための重要な要素となる外国における荷積み用ドックの安全を確保することである。本土防衛コンテナ・セキュリティ・イニシアチブ（Homeland Defense Container Security Initiative：ＣＳＩ）およびテロ行為防止のための税関産業界提携（Customs-Trade Partners Against Terrorism：Ｃ−ＴＰＡＴ）は、認可された取扱者と貨物とを識別するための手段を規定している。より具体的には、輸送コンテナに入ってくる貨物および取扱者を識別し、これらが認可されていることを保証するための手段が必要とされる。加えて、コンテナのセキュリティ装置からセンサイベントを受信し、このデータを他のセンサデータと融合して、誤警報の割合を最小限にし、全体的なセキュリティの有効性を向上させることが必要になるかもしれない。外国の荷積み用ドックにおいては、必ずしも、物理的な手段を用いて輸送コンテナ周囲の区域の安全性を確保できるわけではない。
【発明の開示】
【発明が解決しようとする課題】
【０００６】
外国または国内の荷積み用ドックにおける輸送コンテナの脆弱性を最小限にする技術的な解決策が必要とされる。
【課題を解決するための手段】
【０００７】
発明の簡単な説明
この発明は、コンテナのセキュリティを維持するために貨物コンテナへの入口を監視する方法に向けられている。当該方法は、センサフュージョン（sensor fusion）を用いて、全体的なセキュリティの有効性を高めつつ誤警報を低減させる。
【０００８】
この発明の一局面は、貨物コンテナへの入口を監視する方法であり、以下のステップを含む。すなわち、（ａ）貨物コンテナの入口における空間を監視して、物または人が当該空間に入ったかどうかを検出するステップと、（ｂ）ステップ（ａ）中に物または人が当該空間に入るたびにそれぞれの信号を伝送するステップとであり、それぞれの信号は各々、それぞれの物または人の進入を示すデータを含む。さらに、（ｃ）ステップ（ａ）中に、当該空間を監視して、認可装置が当該空間に入ったか否かを検出するステップと、（ｄ）ステップ（ｃ）中に認可装置が当該空間に入るたびにそれぞれの信号を伝送するステップとであり、それぞれの信号は各々、それぞれの認可装置の進入を示すデータを含み、さらに、（ｅ）伝送された信号をデータプロセッサにおいて受信するステップと、（ｆ）当該空間に入っている認可装置と物または人との間における相関関係の欠如を識別するよう、当該伝送された信号におけるデータをデータプロセッサにおいて処理するステップと、である。
【０００９】
この発明の別の局面は、貨物コンテナへの入口を監視する方法であり、以下のステップを含む。すなわち、（ａ）ある期間中に、貨物コンテナの入口における空間を通過する貨物の各々の品目についての進入記録を作成するステップと、（ｂ）上記期間中に、当該空間に入る各々のＲＦＩＤタグについてのＩＤ記録を作成するステップと、（ｃ）認可されたＲＦＩＤタグが当該空間に入ることなく貨物の品目が当該空間を通過した場合に警報を発するように映像記録とＩＤ記録とを相互に関連付けるステップと、である。
【００１０】
この発明のさらなる局面は、荷積み中に貨物コンテナへの入口を監視する方法であり、以下のステップを含む。すなわち、（ａ）カメラを、その視野が当該入口に向けられるように配置するステップと、（ｂ）当該入口またはその付近に１つ以上のアンテナを配置するステップと、（ｃ）当該カメラを用いて、貨物コンテナに入るかまたはそこから出る貨物の画像を表わす映像データを取得するステップと、（ｄ）当該映像データを処理して、貨物コンテナへの貨物の進入を示す貨物進入データにするステップと、（ｅ）当該アンテナを用いて、当該貨物に入るかまたは当該貨物から出る連続した貨物ＲＦＩＤタグから貨物ＩＤデータを取得するステップと、（ｆ）当該貨物ＩＤデータを貨物進入データと相互に関連付けるステップと、（ｇ）有効な貨物ＩＤデータのない貨物が貨物コンテナに積込まれた場合に警報信号を伝送するステップと、である。
【００１１】
この発明のさらに別の局面はインテリジェントスイッチ（intelligent switch）であり、当該インテリジェントスイッチは、無線信号を受信するための手段と、当該無線信号受信手段に接続されたプロセッサとを含み、当該プロセッサは、貨物の品目が貨物コンテナに積込まれた時間を示す第１のデータを含む無線信号と、認可されたＲＦＩＤタグが貨物コンテナに入った時間を示す第２のデータを含む無線信号とを当該無線信号受信手段が受信した後、当該第１のデータを当該第２のデータとを相互に関連付け、さらに、認可されたＲＦＩＤタグが貨物コンテナに入ることなく貨物品目が貨物コンテナに積込まれた場合に警報信号を発行するようプログラミングされている。
【発明を実施するための最良の形態】
【００１２】
この発明の他の局面が以下に開示および主張される。
ここで、異なる図面における同様の要素が同じ参照番号で示されている図面を参照する。
【００１３】
発明の詳細な説明
この発明は、センサフュージョンを用いて輸送コンテナへの貨物の積込みを監視する方法に向けられている。センサフュージョンの結果によりセキュリティの侵害の可能性が示される場合、警報信号が生成される。外国の港における貨物の積込みを監視する場合、警報信号は、衛星またはＧＳＭ通信インフラを介してオペレーションセンタに伝送され得る。センサフュージョンを用いることにより、誤警報を減らしつつ全体的なセキュリティの有効性が高められる。
【００１４】
この発明の一実施例は、ＲＦＩＤ技術と、人工知能を備えたカメラ（カナダ（Canada）、オンタリオ州（Ontario）、ウォータールー（Waterloo）にあるアイメティス・コーポレーション（Aimetis Corporation）から市販されているＡＩＲＡ  ２００５のソフトウェアパッケージに含まれるＡＩＲＡサーバと同様である）と、オープンソースのＪＸＴＡソフトウェアを用いるデータ相関ソフトウェアとを利用して、輸送コンテナへの入口における認可済み／未認可の取扱者および貨物の存在を識別する。当該カメラは人工知能を用いて、貨物コンテナの進入地点の周りに境界（たとえば、二次元の面）を構築し、この境界を通過する人および貨物の品目を検出する。ＲＦＩＤ技術により、認可された貨物品目上のＲＦＩＤタグがこの境界の通過時に識別され、また、貨物の取扱者を識別する固有のバッジが検出される。データ相関ソフトウェアは、２つの異なるシステムを結び付けて、境界の完全性についての情報を推論し、税関・国境警備局が後に役立たせることができるよう危険性を識別して、疑わしいコンテナに警告を与える（flag）。
【００１５】
この発明の一実施例が部分的に示されている図１には、輸送コンテナ２が示されており、そのドア３（１つだけが示されている）は開かれている。輸送コンテナは箱型であり、長方形の壁および床と、長方形の入口とを有する。コンテナの積込み中に、貨物の品目が、貨物の取扱者により、手動でまたは機械を用いて、コンテナに搬送される。貨物の品目４はコンテナの内部に配置されている。貨物品目４には貨物ＲＦＩＤタグ６などの認可装置が取付けられている。図示されていないが、図１における貨物品目４の傍に立っている人はＲＦＩＤバッジなどの認可装置を備えていてもよく、これにより、その人が、認可された貨物取扱者として識別される。
【００１６】
図１に図示のとおり、ビデオセンサ１４のカメラは、貨物コンテナ２への入口に向けられた視野を有する。ビデオセンサ１４は、任意の期間中に貨物コンテナの入口における空間を通過する貨物の各品目および各人についての進入記録を作成する。
【００１７】
加えて、ドアフレーム２６がコンテナ入口に配置される。ドアフレームは、人または貨物品目がドアフレームの側柱間を通過しなくては輸送コンテナに入ることができないように構成される。走査アンテナ８ａおよび８ｂの第１の対は、支持フレーム２６の一方の柱に取付けられた支持板２８ａに装着される。走査アンテナ８ｃおよび８ｄの第２の対は、支持フレーム２６の他方の柱に取付けられた支持板２８ｂに装着される。走査アンテナ８ａおよび８ｂは、ワイヤによって第１のＲＦＩＤリーダ１０ａに接続される。走査アンテナ８ｃおよび８ｄは、ワイヤによって第２のＲＦＩＤリーダ１０ｂに接続される。走査アンテナを用いて、コンテナへの入口における空間に入る各々のＲＦＩＤタグまたはバッジに問合せする。各々のＲＦＩＤリーダは、ＲＦＩＤデータを翻訳するためのデコーダを備えたトランシーバを含む。トランシーバは、ＲＦ信号を走査アンテナに伝送し、当該走査アンテナが短距離にわたってＲＦ信号を出力する。
【００１８】
この発明の一実施例に従うと、各々のＲＦＩＤタグまたはバッジは受動的なタイプ（passive variety）であり、各々の受動的なＲＦＩＤタグまたはバッジは、コイルアンテナと組合されたマイクロチップをコンパクトなパッケージに含む。ＲＦＩＤタグまたはバッジが走査アンテナの範囲を通過すると、タグ（またはバッジ）のアンテナが、走査アンテ
ナによって出力されたＲＦ信号をピックアップし、何らかの付加的なデータ、たとえば固有の通し番号または他のカスタマイズされた情報等とともに当該信号を戻す。より具体的には、コイルアンテナは電磁場を形成し、そこからＲＦＩＤタグ（またはバッジ）が電力を引出し、これによりその回路に通電する。次いで、タグはタグのメモリにおいて符号化された識別情報を送信する。
【００１９】
受動的なタグおよびバッジはバッテリなしで機能し、このため、有用な耐用年数が長くなる。代替的には、ＲＦＩＤタグおよびバッジは能動的なタイプ（active type）であってもよく、これは、各々のタグおよびバッジがそれ自体のバッテリによって電力供給されることを意味する。
【００２０】
使用されるタグおよびバッジが能動的であるかまたは受動的であるかにかかわらず、当該アンテナは、輸送コンテナへの入口における空間に入るＲＦＩＤタグおよびバッジから伝送されるＲＦＩＤ信号を検出するよう構成および位置決めされる。アンテナ８ａおよび８ｂによって検出されたＲＦＩＤ信号は、ＲＦＩＤリーダ１０ａによって受信および格納され、アンテナ８ｃおよび８ｄによって検出されたＲＦＩＤ信号は、ＲＦＩＤリーダ１０ｂによって受信および格納される。ＲＦＩＤリーダは、ビデオ画像が取得されている間に、貨物コンテナの入口における空間に入る各々のＲＦＩＤタグまたはバッジについてのＩＤ記録を作成する。
【００２１】
この発明の一実施例に従った貨物コンテナ監視システムの主な構成要素が図２のブロック図に示される。貨物または輸送コンテナ２への入口の空間にＲＦＩＤタグ６が存在することは走査アンテナ８によって検出される。ＲＦＩＤタグ６が取付けられている貨物の品目４を識別する、ＲＦＩＤタグ６からのＲＦＩＤ信号は、ＲＦＩＤリーダ１０によって復号される。結果として得られる貨物ＩＤデータは、無線ブリッジ１２ａを介してインテリジェントスイッチ２０に送信される。輸送コンテナに入る各タグからの貨物ＩＤデータには、貨物ＩＤが取得された時間が記録される。
【００２２】
同様に、走査アンテナは、輸送コンテナに出入りする認可された貨物取扱者が身に付けているＲＦＩＤバッジを検出する。ＲＦＩＤバッジ（図２には図示せず）からのＲＦＩＤ信号は、ＲＦＩＤバッジを身に付けているはずである人を識別するものであるが、ＲＦＩＤリーダ１０によって復号される。結果として得られる個人ＩＤデータはまた、無線ブリッジ１２ａを介してインテリジェントスイッチ２０に送信される。輸送コンテナに入る各バッジからの個人ＩＤデータには、当該個人ＩＤデータが取得された時間が記録される。
【００２３】
ビデオセンサ１４は、貨物コンテナ２への入口に向けられた視野を有するビデオカメラ１６を含む。ビデオセンサ１４はさらに、貨物コンテナに入る貨物の各品目についての映像記録を作成するビデオセンサプラットフォーム１８を含む。ビデオセンサプラットフォームはソフトウェアパッケージを含み、当該ソフトウェアパッケージは、インテリジェントな映像分析、デジタル映像記録、ならびに、ネットワークオペレーションセンタからの生の画像および記録された画像へのリモートアクセスを含む。映像分析ソフトウェアは、輸送コンテナに何が入ったか、すなわち、ある時間間隔中に輸送コンテナに入ったのが貨物もしくは人またはこれら両方であるかどうかを、自動的に追跡および分類し得る。より具体的には、貨物の品目もしくは人またはこれら両方が輸送コンテナに入っているかまたは入ったことを示す進入データには、当該進入データが取得された時間が記録される。（時間記録された貨物進入データおよび時間記録された人の進入データを含むがこれらに限定されない）この分析の結果が、無線ブリッジ１２ｂを介してインテリジェントスイッチ２０に伝送される。
【００２４】
上述のとおり、（貨物および人の両方についての）ＩＤおよび進入データは、データ相
関ソフトウェアでプログラミングされたインテリジェントスイッチ２０に無線で伝送される。ＩＤデータおよび進入データはともに時間が記録されているので、インテリジェントスイッチ２０は、進入データがＩＤデータと相互に関連していない場合、ＩＤデータを進入データと相互に関連付け、警報信号を発行することができる。たとえば、警報信号は、以下の事象に応答して生成される。すなわち、（１）貨物の品目が、ＲＦＩＤタグが取付けられずに輸送コンテナに入ったこと、および、（２）ＲＦＩＤバッジを身に付けていない人が輸送コンテナに入ったこと、である。インテリジェントスイッチはさらに、ＲＦＩＤタグおよびバッジの有効性をチェックするソフトウェアでプログラミングされてもよく、この場合、上述の警報信号は、貨物品目または人が、認可されたＲＦＩＤタグを備えずに、または認可されていない（たとえば偽造の）タグもしくはバッジを備えてコンテナに入った場合に生成され得る。警報信号は、（図２に図示のとおり）ＧＳＭ通信インフラを介して、または、衛星通信インフラ（図２には図示せず）を介して、インテリジェントスイッチ２０によってネットワークオペレーションセンタ２４に伝送され得る。
【００２５】
図３に示される実施例に従うと、インテリジェントスイッチ２０は、無線トランシーバ３２、衛星通信モジュール３８および携帯電話式またはＧＳＭモジュール４０を制御するプロセッサ３０を含む。インテリジェントスイッチ２０は、貨物コンテナおよび通信インフラを監視するのに用いられるセンサ間のインターフェイスとして機能するようプログラミングされている。インテリジェントスイッチ２０は、トランシーバ３２に結合された無線アンテナ３４を介して無線ブリッジ（図２における品目１２ａおよび１２ｂ）からデータを受信する。プロセッサ３０は、メモリ３６にデータを格納し、当該メモリ３６からデータを検索する。プロセッサ３０は、警報信号を、衛星通信モデム３８を介して衛星に送信するか、または、携帯電話式（すなわち、ＧＳＭ通信）モデム４０を介してセルラータワー（cellular tower）に送信する。
【００２６】
現在のサプライチェーンで実施されている製造原理が低品位であるために、遅延は、供給業者および消費者の両方にとって生産ロス、保管料金、契約違約金などに相当し、結果として収益が著しく損なわれてしまう。コンテナの進入地点を検証可能な解決策で確保することにより、上述のように、米国国境の保安を確実にしながらも、税関を通るコンテナを迅速に追跡することにより物品の迅速な配送が確実にされる。
【００２７】
この発明の多くの変形例および他の実施例は、上述の説明および添付の図面に提示される教示の利益を有するこの発明が属する当該技術分野の知識を有する者にとって明らかになるだろう。したがって、この発明が開示されている特定の実施例に限定されるべきではなく、また、変形例および他の実施例が添付の特許請求の範囲に含まれるよう意図されたものであることが理解されるべきである。この明細書中において特定の用語が用いられているが、これらは、一般的かつ記述的な意味でのみ用いられるものであり、限定を目的としたものではない。
【図面の簡単な説明】
【００２８】
【図１】この発明の一実施例に従った、ビデオセンサおよびＲＦＩＤセンサによって積込み中に監視されている貨物コンテナを示す概略図である。
【図２】この発明の実施例に従った、貨物の積込み中にコンテナの入口を監視するためのシステムを示すブロック図である。
【図３】図２に示されるインテリジェントスイッチの構成要素を示すブロック図である。
【図１】
2009528233.tif 000003
【図２】
2009528233.tif 000004
【図３】
2009528233.tif 000005
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
貨物コンテナへの入口を監視する方法であって、
（ａ）貨物コンテナの入口における空間を監視して、物または人が前記空間に入ったか否かを検出するステップと、
（ｂ）ステップ（ａ）中に物または人が前記空間に入るたびにそれぞれの信号を伝送するステップとを含み、それぞれの信号は各々、それぞれの物または人の進入を示すデータを含み、前記方法はさらに、
（ｃ）ステップ（ａ）が実行されている間、前記空間を監視して、認可装置が前記空間に入ったか否かを検出するステップと、
（ｄ）ステップ（ｃ）中に認可装置が前記空間に入るたびにそれぞれの信号を伝送するステップとを含み、それぞれの信号は各々、それぞれの認可装置の進入を示すデータを含み、前記方法はさらに、
（ｅ）前記伝送された信号をデータプロセッサにおいて受信するステップと、
（ｆ）前記データプロセッサにおいて前記伝送された信号におけるデータを処理して、認可装置が前記空間に入ることなく物または人が前記空間に入った事象を識別するステップとを含む、方法。
【請求項２】
前記データプロセッサは、相関関係の欠如を識別したことに応答して警報信号を伝送する、請求項１に記載の方法。
【請求項３】
前記警報信号は、衛星またはＧＳＭ通信インフラを介してオペレーションセンタにおいて受信される、請求項２に記載の方法。
【請求項４】
前記伝送された信号はＲＦ信号である、請求項１に記載の方法。
【請求項５】
ステップ（ａ）は、人工知能と、前記貨物コンテナへの前記入口に向けられた視野とを有するビデオカメラによって実行される、請求項１に記載の方法。
【請求項６】
ステップ（ｃ）は、前記貨物コンテナへの前記入口またはその付近に配置されたＲＦＩ
Ｄリーダによって実行される、請求項１に記載の方法。
【請求項７】
前記認可装置はＲＦＩＤタグである、請求項１に記載の方法。
【請求項８】
貨物コンテナへの入口を監視する方法であって、
（ａ）ある期間中に貨物コンテナの入口における空間を通過する貨物の各品目についての進入記録を作成するステップと、
（ｂ）前記期間中に前記空間に入る各々のＲＦＩＤタグについてのＩＤ記録を作成するステップと、
（ｃ）前記映像記録とＩＤ記録とを相互に関連付けて、認可されたＲＦＩＤタグが前記空間に入ることなく貨物の品目が前記空間を通過した場合に警報を発するステップとを含む、方法。
【請求項９】
ステップ（ａ）および（ｂ）中にそれぞれ作成された進入記録およびＩＤ記録を含むＲＦ信号を、ステップ（ｃ）を実行する装置に伝送するステップをさらに含む、請求項８に記載の方法。
【請求項１０】
前記貨物コンテナの入口に向けられた視野を有するビデオカメラを用いて映像記録を取得するステップをさらに含み、前記進入記録は、前記映像記録に人工知能を適用することによって作成される、請求項８に記載の方法。
【請求項１１】
衛星またはＧＳＭ通信インフラを介してオペレーションセンタに警報信号を送信するステップをさらに含む、請求項８に記載の方法。
【請求項１２】
積込み中に貨物コンテナへの入口を監視する方法であって、
（ａ）カメラを、その視野が前記入口に向けられるように配置するステップと、
（ｂ）前記入口またはその付近に１つ以上のアンテナを配置するステップと、
（ｃ）前記カメラを用いて、前記貨物コンテナに入るかまたは前記貨物コンテナから出る貨物の画像を表わす映像データを取得するステップと、
（ｄ）前記映像データを処理して、前記貨物コンテナへの貨物の進入を示す貨物進入データにするステップと、
（ｅ）前記アンテナを用いて、前記貨物に入るかまたは前記貨物から出る連続した貨物ＲＦＩＤタグから貨物ＩＤデータを取得するステップと、
（ｆ）前記貨物ＩＤデータを前記貨物進入データと相互に関連付けるステップと、
（ｇ）有効な貨物ＩＤデータのない貨物が前記貨物コンテナに積込まれた場合に警報信号を伝送するステップとを含む、方法。
【請求項１３】
ステップ（ｅ）は、ＲＦ走査信号を前記アンテナから前記入口にわたって伝送して、前記入口を通過する受動的なＲＦＩＤタグに、前記貨物ＩＤデータを含むそれぞれのＲＦＩＤ信号を伝送させるステップを含む、請求項１２に記載の方法。
【請求項１４】
ステップ（ｃ）および（ｅ）中にそれぞれ取得された貨物進入データおよび貨物ＩＤデータを含むＲＦ信号を、ステップ（ｆ）を実行する装置に伝送するステップをさらに含む、請求項１２に記載の方法。
【請求項１５】
ステップ（ｄ）は、人工知能でプログラミングされ前記ビデオカメラとインターフェイスを取るプロセッサによって実行される、請求項１２に記載の方法。
【請求項１６】
前記警報信号は、衛星またはＧＳＭ通信インフラを介してオペレーションセンタに伝送される、請求項１２に記載の方法。
【手続補正２】
【補正対象書類名】明細書
【補正対象項目名】００１５
【補正方法】変更
【補正の内容】
【００１５】
この発明の一実施例が部分的に示されている図１には、輸送コンテナ２が示されており、そのドア３（１つだけが示されている）は開かれている。輸送コンテナは箱型であり、長方形の壁および床と、長方形の入口とを有する。コンテナの積込み中に、貨物の品目が、貨物の取扱者により、手動でまたは機械を用いて、コンテナに搬送される。貨物の品目４はコンテナの内部に配置されている。貨物品目４には貨物ＲＦＩＤタグ６が取付けられている。図示されていないが、図１における貨物品目４の傍に立っている人はＲＦＩＤバッジを備えていてもよく、これにより、その人が、認可された貨物取扱者として識別される。
【国際調査報告】
2009528233.tif 000006